Podtech/llm-jp-corpus-v4-ja_patent huggingface dataset:
(57)【特許請求の範囲】
【請求項１】
左右のライト口２０，２０の上側に、左右幅に亘って単一の上部吸気口１を開口し、前記ライト口２０，２０の下側に、上下方向の桟部２５を挟んで複数の下部吸気口１９，１９を開口した樹脂製のフロントグリルを形成すると共に、前記フロントグリルの裏側に前記上部吸気口１を覆うネット部材を備えるトラクタのフロントグリルにおいて、
前記上部吸気口１を覆うネット部材４を、前記上部吸気口１の上側に固定する上ステー８と、前記左右ライト口２０，２０間に固定する下ステー９と、これら上下ステー８，９の各左右中央部間を上下方向に連結する連結部１０とから成る正面視「エ」字状に構成したステー部材１１にて取り付けたことを特徴とするトラクタのフロントグリル。
【発明の詳細な説明】
【０００１】
【産業上の利用分野】
この発明は、トラクタのフロントグリルに関する。このフロントグリルの吸気口部を覆うグリルネット（ネット部材）の取付け構成を簡単化すると共に、フロントグリルの剛性を維持する。
【０００２】
【従来の技術、及び発明が解決しようとする課題】
フロントグリルの大きく開口された吸気口部にグリルネットを取付ける場合に、吸気口部の裏側に単にグリルネットを重合させてビス止めするだけでは、フロントグリルの歪みを発生し易く、外観上好ましくない。
【０００３】
【課題を解決するための手段】
この発明は、左右のライト口２０，２０の上側に、左右幅に亘って単一の上部吸気口１を開口し、前記ライト口２０，２０の下側に、上下方向の桟部２５を挟んで複数の下部吸気口１９，１９を開口した樹脂製のフロントグリルを形成すると共に、前記フロントグリルの裏側に前記上部吸気口１を覆うネット部材を備えるトラクタのフロントグリルにおいて、
前記上部吸気口１を覆うネット部材４を、前記上部吸気口１の上側に固定する上ステー８と、前記左右ライト口２０，２０間に固定する下ステー９と、これら上下ステー８，９の各左右中央部間を上下方向に連結する連結部１０とから成る正面視「エ」字状に構成したステー部材１１にて取り付けたことを特徴とするトラクタのフロントグリルとする。
【０００４】
【作用、及び発明の効果】
フロントグリル２に、上部吸気口１を覆うネット部材４を取り付ける時には、この裏側にネット部材４を敷き、ステー部材１１の上下ステー８，９で押えて、該フロントグリル２の開口周縁部３に固定する。これによってグリルネット４の上部吸気口１の被覆が行われ、わら屑や土、石等の障害物の吸気口１から吸入、乃至飛込等を防止できる。
【０００５】
また前記ステー１１部材は、前記上部吸気口１の上側に固定する上ステー８と、前記左右ライト口２０，２０間に固定する下ステー９と、これら上下ステー８，９の各左右中央部間を上下方向に連結する連結部１０とから成る正面視「エ」字状に構成している。このため、ステー部材１１が取付けられると同時に、この連結部１０によって上部吸気口１の左右中間部がネット部材４の裏側で支持されることとなり、剛性を増して歪みを生じ難く、安定した形状の樹脂製フロントグリル２を構成することができる。しかも、ステー部材１１は、ネット部材４等と共に、フロントグリル１の裏面側に取付ける為、取付構成も簡単となる。
【０００６】
【実施例】
トラクタ車体の前部に搭載するエンジンの上部を覆って、ボンネット１２、左右のサイドカバー１３、後側のダッシュボード１４、前側のフロントグリル２等を設ける。１５は下部のバンパーである。前車輪を左右に軸装するフロントアクスルハウジングはこのバンパー１５の下方を横方向に亘るように設けられる。１６はエンジンルーム内のラジエータ、１７はエアクリーナ、１８は燃料タンクである。
【０００７】
前記フロントグリル２は、合成樹脂材によって成形され、下部には下部吸気口１９を形成し、上部には上部吸気口１を形成し、これらの間にライトを嵌合させるライト口２０を形成する。このライト口２０は左右に形成されていて、中央部には上下に連結される連結部２１が形成され、この連結部２１にも吸気口２２が設けられる。
【０００８】
前記フロントグリル２の下部吸気口１９、及び連結部２１の吸気口２２の設けられる各上下吸気口間隔部には横桟部２３，２４が形成され、又下部吸気口１９部には縦桟部２５も形成されている。上部吸気口１は、左右幅一杯に亘って形成され、開口周縁部３は裏側へ向けて折り返すようなリブを形成している。この開口周縁部３には縦横の方向に沿う補強リブ２６を一体形成し、この補強リブ２６に埋込ナット２７を設けている。
【０００９】
吸気口１の裏側に取付けるグリルネット４は、合成樹脂製乃至金属性（エキスパンドメタル）等によって成形されるもので、この周縁部を開口周縁部３の裏面に重合する。更にこの裏面にはピンボルト５の挿通しうるピン孔を形成した上押え部材６及び下押え部材７を重合し、このピン孔からピンボルト５を前記埋込ナット２７に向けて挿込んで螺合し締付固定する。これによって、グリルネット４の上下辺部が開口周縁部３に固定される。
【００１０】
前記上、下押え部材６，７は、吸気口１の長手方向に沿うもので、裏側には埋込ナット２８を有する。これらの埋込ナット２８にボルト２９締めして、グリルステー１１の上ステー８及び下ステー９等を取付ける。このグリルステー１１は金属製で、上ステー８はコ字状断面の形態とし、下ステー９はＬ字状断面の形態として剛性を保持できる。これらの上、下ステー８，９間は中央部の連結部１０で連結されて、「エ」字状形態として構成される。各ステー８，９はこれらに対する前記上、下押え部材６，７の長さに対応して形成され、ボルト孔３０を有し、このボルト孔３０を前記埋込ナット２８に重合させるようにして、上、下ステー８，９を重ね、各ボルト孔３０からボルト２９を螺挿させて、グリルステー１１の取付けを行うものである。なお、前記フロントグリル２は、ライト口２０の上部に上部吸気口１を設けて、エンジン出力の大きい機種のトラクタ用として使用し、又、エンジン出力の小さい機種のトラクタ用としては、この上部吸気口１を形成しない構成としてもよい。従って、フロントグリル２を、上部吸気口１の有無によって、異なる機種において成形型の共用化を図ることができ、生産コストの低減を行いうる。
【図面の簡単な説明】
【図１】フロントグリル部の側面図。
【図２】その背面図。
【図３】グリルステー部の背面図。
【図４】その側面図。
【図５】フロントグリルの正面図。
【図６】その側面図。
【符号の説明】
１  上部吸気口
２  フロントグリル
３  開口周縁部
４  グリルネット（ネット部材）
５  ピン
６  上押え部材
７  下押え部材
８  上ステー
９  下ステー
１０  連結部
１１  グリルステー（ステー部材）
１９  下部吸気口
２０  ライト口
２５  桟部
【図１】
0003617100.tif 000002
【図２】
0003617100.tif 000003
【図３】
0003617100.tif 000004
【図４】
0003617100.tif 000005
【図５】
0003617100.tif 000006
【図６】
0003617100.tif 000007
(57)【特許請求の範囲】
【請求項１】
先端にウォームネジを形成したモータ軸と、前記ウォームネジと噛み合って前記モータ軸の回転トルクを伝達するウォームホイールと、前記ウォームホイールと同軸上に配置されるとともに前記ウォームホイールより直接またはダンパーを介して回転トルクを受け、フランジ面の軸芯部に突出した出力軸部を有する出力板と、これら部品を収納するギヤケースと、前記ギヤケースの穴より露出した前記出力板の出力軸部に内接嵌合される出力軸キャップを備え、前記出力軸キャップが出力軸のスラスト方向の動きを規制するとともに、前記出力軸キャップの外形形状が相手機器との嵌合部となることを特徴とするモータの出力軸構造。
【請求項２】
出力軸キャップの外形形状が四角形以上の多角形形状であることを特徴とする請求項１記載のモータの出力軸構造。
【請求項３】
出力軸キャップの外形形状がピニオン形状であることを特徴とする請求項１記載のモータの出力軸構造。
【発明の詳細な説明】
【０００１】
【産業上の利用分野】
本発明は、自動車の窓ガラス昇降用に使われるパワーウィンドモータなどのウォームを有するモータの出力軸構造に関する。
【０００２】
【従来の技術】
従来より、パワーウィンドモータなどのように、低回転・高トルク型のモータとしてウォームギヤ付きモータが使用される。
【０００３】
以下に従来のウォームギヤ付きモータの出力軸構造について説明する。
図３は従来のモータの出力軸構造を示す部分断面図である。
【０００４】
図３において、先端にウォームネジを形成したモータ軸１の回転力は、前記ウォームネジと噛み合うウォームホイール２へと伝達され、さらにダンパーゴム３を介して出力板４へと伝達される。以上の部品はギヤケース５の中に収納されるが、出力板４のフランジ面４ａの軸芯部に突出する出力軸部４ｂはギヤケース５の穴５ａより露出している。ウォームホイール２はハスバ歯車であるために回転トルクを伝達する際に出力軸スラスト方向の力を発生するが、ギヤケースから遠ざかる方向へ力が発生した場合にその方向への動きを規制するために出力軸部４ｂにプッシュナット７が装着される。出力軸部４ｂは相手機器との嵌合部となり回転トルクを伝達する。
【０００５】
【発明が解決しようとする課題】
しかしながら上記従来の構造では、出力軸部４ｂの大きさはギヤケース５の穴５ａよりも小さくなくてはならず、相手機器との嵌合部としてギヤケースの穴５ａより大きな形状が必要な場合、前記出力軸部４ａに別途出力軸キャップ６を装着する必要がある。また、出力板４はプレス部品であるため複雑な形状とすることができず、たとえば出力軸にピニオン軸が必要な場合は外形形状がピニオン形状となる出力軸キャップが必要となる。
【０００６】
このように、出力軸部がそのまま相手機器との嵌合部とならない場合に別途出力軸キャップが必要となるために部品点数が増え、組立工数も増えることとなる。
【０００７】
本発明は上記従来の問題点を解決するもので、相手機器との嵌合部の形状如何にかかわらず、部品点数も組立工数も増えることのないモータの出力軸構造を提供することを目的とする。
【０００８】
【課題を解決するための手段】
この目的を達成するために本発明のモータの出力軸構造は、出力板の出力軸部に内接嵌合される出力軸キャップが、出力軸のスラスト方向の動きを規制するとともに、出力軸キャップの外形形状が相手機器との嵌合部となっている。
【０００９】
【作用】
上記構成により、出力軸キャップが出力軸のスラスト方向の動きの規制と相手機器との嵌合という２つの機能を有し、結果として部品点数を１つ減らすことができ組立工数も減ることになる。
【００１０】
【実施例】
以下本発明の一実施例について、図面を参照しながら説明する。
【００１１】
図１において、先端にウォームネジを形成したモータ軸１の回転力は、前記ウォームネジと噛み合うウォームホイール２へと伝達され、さらにダンパーゴム３を介して出力板４へと伝達される。以上の部品はギヤケース５の中に収納されるが、出力板４のフランジ面４ａの軸芯部に突出する出力軸部４ｂはギヤケース５の穴５ａより露出している。図２において、前記出力軸部４ｂには出力軸キャップ６が内接嵌合され、前記出力軸キャップ６の頭頂部６ａの外形形状は四角形状で相手機器との嵌合部となり、反頭頂部側にはつば６ｂを設けて出力軸のスラスト方向の動きを規制している。このように、従来プッシュナット７の出力軸スラスト方向の動きを規制する機能と、出力軸キャップの相手機器との嵌合の機能の２つの機能を１つの部品に持たせることにより、部品点数の削減，組立工数の削減をはかることができる。
【００１２】
上記実施例においては出力軸キャップ頭頂部の外形形状を四角形状としているが、四角形以上の多角形形状でもよいし、ピニオン形状でもよく強いては相手機器に嵌合する形状であればどんな形状でもよい。
【００１３】
また、出力軸のスラスト方向の動きを規制する出力軸キャップの反頭頂部側をつば付きとしているが、反頭頂部側に出力軸スラスト方向の力を受ける面が充分に確保されているのであれば、特につばをつける必要はなく反頭頂部側の面を頭頂部胴体断面形状そのままとしてもよい。
【００１４】
【発明の効果】
以上のように本発明は、出力板の出力軸部に内接嵌合される出力軸キャップが、出力軸のスラスト方向の動きを規制するとともに、前記出力軸キャップの外形形状が相手機器との嵌合部となることにより、相手機器との嵌合部形状如何にかかわらず部品点数，組立工数の削減をはかることができ安価なモータが実現できる。
【図面の簡単な説明】
【図１】本発明の一実施例におけるモータの出力軸構造を示す部分断面図
【図２】本発明の一実施例におけるモータの出力軸構造の主要構成部品の外観斜視図
【図３】従来のモータの出力軸構造を示す部分断面図
【符号の説明】
１  モータ軸
２  ウォームホイール
３  ダンパーゴム
４  出力板
４ａ  フランジ面
４ｂ  出力軸部
５  ギヤケース
６  出力軸キャップ
７  プッシュナット
【図１】
0003617097.tif 000002
【図２】
0003617097.tif 000003
【図３】
0003617097.tif 000004
(57)【特許請求の範囲】
【請求項１】
直腸の器械吻合における狭窄部のステイプルを切断するための治療器械であり、
外部から直腸内に挿入されるように、一方向に長く一体的に設けられた２個のシャフトと、
それらのシャフトの先端部において該シャフト本体の上面からＬ字直角状に突設固定され相互に密着して直線状に相対移動する２枚の刃からなるヘッド（１）と、
それを作動させるハンドル（２）と、を含むことを特徴とする吻合部狭窄の治療器械。
【発明の詳細な説明】
【０００１】
【発明の属する技術分野】
本発明は、医学に関するもので、特に、直腸疾患における低位前方切除術の直腸器械吻合の合併症である吻合部狭窄の治療器械に関する。
【０００２】
【従来の技術】
従来の直腸器械吻合部の合併症である吻合部狭窄の治療は、拡張器を用いたものであり、それは食道拡張器を転用したものに代表される。拡張器を用いて吻合部の治療を行うと、一時的には狭窄症状は改善するものの、再狭窄の頻度は極めて高い。その理由は、後述するようにステイプルの不可逆的な変形収縮が原因となっていると考えられる。
【０００３】
【発明が解決しようとする課題】
低位前方切除術の直腸器械吻合部の狭窄は、最も頻度の高い合併症であり、数多くの術後患者の耐え難い苦痛となっている。従って、この狭窄症状を早期に効果的に取り除く手段の出現が待望されていた。
【０００４】
【課題を解決するための手段】
本発明は、上記従来の課題を解決すべく成されたものであって、直腸の器械吻合における狭窄部のステイプルを切断するための治療器械であり、外部から直腸内に挿入されるように、一方向に長く一体的に設けられた２個のシャフトと、それらのシャフトの先端部において該シャフト本体の上面からＬ字直角状に突設固定され相互に密着して直線状に相対移動する２枚の刃からなるヘッド（１）と、それを作動させるハンドル（２）と、を含むことを特徴とする吻合部狭窄の治療器械から構成される。一般的に吻合部狭窄の原因は未だ明かとなっていないが、器械吻合の吻合部狭窄は、手縫いの場合と異なり、器械吻合に用いるステイプルが関与している可能性が高い。すなわち、吻合の治癒機転としての生体の瘢痕収縮によって引き起こされたステイプルの不可逆的な変形収縮が治療困難な病態を形成していると推測される。そこで、この変形収縮をおこしているステイプルを切断するカッターを創作し、実際、臨床的に使用した。
【０００５】
【発明の実施の形態】
直腸の器械吻合後、吻合部狭窄をおこした９例に実際使用し、その効果を検討した。また、その使用方法は、図４に示したように、通常の肛門鏡のアシスト下に２ヵ所の狭窄部のステイプルの切断と用手的な拡張を行うものである。本発明に係る治療器械の使用は直視下に行うため安全かつ簡単であり、従来の拡張器を使用するときに必須なレントゲン装置も必要ないので、すべての症例をベッドサイドで治療することができる。ステイプルの切断は、簡単に狭窄の用手的な拡張が可能である。全例に直径２０mm以上の拡張が得られた。狭窄症状の苦痛の第一は頻回な排便であるが、図５に示したように、９例中８例に治療後は劇的な排便回数の減少が認められた。また、拡張器使用で頻回に認められる再狭窄は、わずか２例にしか認められず、この２例も再治療で軽快した（図６）。
【０００６】
【発明の効果】
本発明に係る治療器械によれば、直腸の器械吻合部における狭窄部のステイプルを肛門鏡を用いて直視下に簡単に切断できる。そして、治療後の排便回数を劇的に減少させるとともに、再狭窄もなくし患者の苦痛を除去させることができる。さらに、本発明に係る治療器械の使用は直視下に行うため安全かつ簡単であり、従来の拡張器を使用するときに必須なレントゲン装置も必要ないので、すべての症例をベッドサイドで治療することができる。
【図面の簡単な説明】
【図１】本発明である吻合部狭窄の治療器械の側面図である。
【図２】吻合部狭窄の治療器械の実施時のヘッド部（カッター）の部分拡大平面図であり、Ａ：開いたとき  Ｂ：カットした時を示す。
【図３】本発明の治療器械の実施時のヘッド部（カッター）の要部拡大斜視図である。
【図４】本発明の実施例図であり、肛門鏡（４）のアシスト下に本発明器械（３）によって、吻合狭窄部（５）のステイプル（６）をカットする状態を示す。
【図５】症状から見た治療前後の効果を示す図であり、狭窄症状のあった９例のうち８例に劇的な症状の改善が認められたのが分かる。
本発明の治療器械の実施時のヘッド部（カッター）の要部拡大斜視図である。
【図６】治療の遠隔成績を示すグラフ図であり、再狭窄はわずかに２例にしか認められずこの２例も再治療で軽快した。
【符号の説明】
１  ヘッド部（カッター）
２  ハンドル
３  吻合部狭窄の治療器械（発明品）
４  通常の肛門鏡
５  直腸の吻合狭窄部
６  吻合部のステイプル
【図１】
0003617019.tif 000002
【図２】
0003617019.tif 000003
【図３】
0003617019.tif 000004
【図４】
0003617019.tif 000005
【図５】
0003617019.tif 000006
【図６】
0003617019.tif 000007
(57)【特許請求の範囲】
【請求項１】
開路電圧以上で浮動充電される密閉形鉛蓄電池の浮動充電方法において、あらかじめ、密閉形鉛蓄電池が浮動充電状態から開回路された際の電池の端子電圧と時間の関係を求めておき、所定の電圧で一定時間保持する浮動充電と、前記あらかじめ求めた電池の端子電圧と時間の関係に合わせて充電電圧を、１００％充電状態で長時間放置後の開路電圧まで下げる浮動充電とを、周期的に繰り返すことを特長とする密閉形鉛蓄電池の浮動充電方法。
【発明の詳細な説明】
【０００１】
【産業上の利用分野】
本発明は陰極吸収式密閉形鉛蓄電池の浮動充電方法に関するものである。
【０００２】
【従来の技術とその課題】
密閉形鉛蓄電池は陰極吸収反応が発熱反応であるので、その発熱と蓄電池からの放熱の微妙なバランスの上に立って浮動充電をされている。したがって、発熱と放熱のバランスがくずれる、つまり蓄電池の放熱が発熱よりも小さくなった場合には蓄電池は熱逸走となる。この熱逸走をなくすため、蓄電池のキャビネットは形状を大きくし、側面には通気口を設けて熱の放散を大きくする工夫が採られている。しかし、この欠点はキャビネットの形状がむやみに大きくなり、都会のように十分にはキャビネットの設置面積を確保できない場合に支障をきたすことになる。
【０００３】
一方、熱逸走を防止するには時々充電を中止する方法も考えられるが、停電に備えて常時給電の義務がある浮動充電ではそれは不可能なことであった。
【０００４】
また、従来から熱逸走を防止する目的で例えば温度センサーにより５０℃を検出して充電電圧を下げる方法もあったが、この場合は５０℃に至らないと充電電圧は下がらないので、結果として４５℃程度に維持された場合には熱逸走は防止できても蓄電池が高温のために寿命が低下するという問題があった。
【０００５】
本発明はこの問題を解決する方法として新しい浮動充電方法を提供するものである。
【０００６】
【課題を解決するための手段】
本発明は浮動充電状態を維持しながら蓄電池の発熱を抑え、熱逸走を防止し、かつ蓄電池の寿命の延伸を目的とするものである。その方法は、あらかじめ、密閉形鉛蓄電池が浮動充電状態から開回路された際の電池の端子電圧と時間の関係を求めておき、所定の電圧で一定時間保持する浮動充電と、前記あらかじめ求めた電池の端子電圧と時間の関係に合わせて充電電圧を、１００％充電状態で長時間放置後の開路電圧まで下げる浮動充電とを、周期的に繰り返すものである。
【０００７】
【作用】
浮動充電電圧を、あらかじめ求めた電池の端子電圧と時間の関係に合わせて、１００％充電状態で長時間放置後の開路電圧まで下げるので、蓄電池の充電電流が抑えられ、熱逸走が防止できるとともに寿命の延伸が可能である。
【０００８】
【実施例】
２００アンペアアワー密閉形蓄電池について、以下具体的に説明をする。
【０００９】
図１は、密閉形鉛蓄電池が浮動充電状態から開回路された際の、電池の充電電圧（端子電圧）と経過時間との関係を示したものである。すなわち図１は、密閉形鉛蓄電池を、まず蓄電池を１００％充電状態に維持するため、２．２３Ｖ／セルで２日間浮動充電し、浮動充電を開始してまる２日で充電をやめ、３日目から電池を開放状態にした場合の、電池の端子電圧と時間の関係を示したものである。図１の「電圧」は、最初の２日間は充電電圧を示し、３日目以後は開放状態の端子電圧（開路電圧）を示す。充電をやめて７日後には、電池の端子電圧は２．１１Ｖ／セル（１００％充電状態で長時間放置後の開路電圧）に近づく。
【００１０】
熱逸走試験は２００Ａｈ蓄電池を５４セルキャビネットに収納しておこなった。本発明の実施例１の場合には、図２に示したパターンでの浮動充電を行った。すなわち、２．２３Ｖ／セルで２日間保持する浮動充電と、さらに、あらかじめ求めておいた、図１に示す、電池を開放状態にした場合の電池の端子電圧と時間の関係に合わせて、充電電圧を２．２３Ｖ／セルからあらかじめ設定した浮動充電時の端子電圧の下限である２．１１Ｖ／セル（１００％充電状態で長時間放置後の開路電圧）まで７日間で下げる浮動充電とを、周期的に繰り返した。
【００１１】
一方、従来の比較例１の場合には、２．２３Ｖ／セルの一定電圧で保持する浮動充電を行った。
【００１２】
比較例１の場合には周囲温度が約７５℃で充電電流が次第に増加する熱逸走の兆候が認められたが、実施例１の場合には９０℃でもこのような熱逸走の兆候はなかった。
【００１３】
これまでは熱逸走を防止するために蓄電池のキャビネットへの収納を抑えていたが、本方式では熱逸走の不安が小さいので下記の例とおり蓄電池の収納数を１．５倍に増加できた。
【００１４】
キャビネット形状：間口１２００×奥行６００×高さ１９００ｍｍ
２００Ａｈ蓄電池の現状収納数 ：５４セル
２００Ａｈ蓄電池の本発明による収納数：８１セル
【００１５】
【発明の効果】
従来、浮動充電電圧は１点固定で使用されていたため、熱逸走の防止や寿命の延伸、およびキャビネットの収納効率の改善の点で限界があった。本発明は浮動充電電圧を固定的なものとはしないので蓄電池の発熱を抑制することが可能であり、上記の３つの問題を一度に解決することができ、その工業的価値は非常に大である。
【図面の簡単な説明】
【図１】密閉形鉛蓄電池を、まず２．２３Ｖ／セルで浮動充電し、浮動充電を開始して２日後に充電をやめ、電池を開放状態にした場合の、電池の端子電圧と時間の関係を示す図。
【図２】実使用における本発明方式の電圧制御パターンを示した図。
【図１】
0003617084.tif 000002
【図２】
0003617084.tif 000003
(57)【特許請求の範囲】
【請求項１】
ビタミンＡと水とを配合した化粧水において、粘度２〜２０ｃｓ（２５℃）のジメチルポリシロキサン又はメチルフェニルポリシロキサン（但し、環状のものを除く）を０．００１重量％以上０．１重量％未満配合することを特徴とするビタミンＡ配合化粧水のべたつき防止方法。
【請求項２】
ビタミンＡと水とエタノールと１，３−ブチレングリコールとを配合した化粧水において、粘度２〜２０ｃｓ（２５℃）のジメチルポリシロキサン又はメチルフェニルポリシロキサン（但し、環状のものを除く）を０．００１重量％以上０．１重量％未満配合することを特徴とするビタミンＡ配合化粧水のべたつき防止方法。
【発明の詳細な説明】
【０００１】
【産業上の利用分野】
本発明はビタミンＡに起因するべたつきを抑え、その効果を著しく改良した皮膚外用剤に関する。
【０００２】
【従来の技術】
ビタミンＡは皮膚角化症等の予防、治療や、皮膚老化の防止、回復に有効な成分であることが知られている。
【０００３】
しかしながらビタミンＡはこれらの効果とは裏腹にべたつきの強い使用感触をもっており、皮膚外用剤に配合するには難点となっていた。
【０００４】
【発明が解決しようとする課題】
本発明者らは係る事情に鑑み鋭意研究の結果、ビタミンＡとともに、粘度２〜２０ｃｓ（２５℃）のジメチルポリシロキサン又はメチルフェニルポリシロキサンからなる群から選ばれる一種または二種以上とを配合すればビタミンＡの使用性が著しく向上することを見出し、本発明を完成するに至った。
【０００５】
【課題を解決するための手段】
すなわち本発明は、ビタミンＡと水とを配合した化粧水において、粘度２〜２０ｃｓ（２５℃）のジメチルポリシロキサン又はメチルフェニルポリシロキサン（但し、環状のものを除く）を０．００１重量％以上０．１重量％未満配合することを特徴とするビタミンＡ配合化粧水のべたつき防止方法である。
また、本発明は、ビタミンＡと水とエタノールと１，３−ブチレングリコールとを配合した化粧水において、粘度２〜２０ｃｓ（２５℃）のジメチルポリシロキサン又はメチルフェニルポリシロキサン（但し、環状のものを除く）を０．００１重量％以上０．１重量％未満配合することを特徴とするビタミンＡ配合化粧水のべたつき防止方法である。
【０００６】
以下本発明の構成について詳述する。
【０００７】
本発明に用いられるビタミンＡは別名レチノールと呼ばれ、ａｌｌ−ｔｒａｎｓ型、１３−ｃｉｓ型が望ましく、それらの混合物でもかまわない。
【０００８】
本発明に従って皮膚外用剤に配合される量としては特に制限はないが、ビタミンＡとしての肌への効果を考えると０．０００１重量％〜５．０重量％が好ましく、０．００１重量％〜０．５重量％が特に好ましい。
【０００９】
本発明に用いられるジメチルポリシロキサンは、粘度２〜２０ｃｓ（２５℃）のものであり、好ましくは５〜２０ｃｓ（２５℃）のものである。これらは通常皮膚外用剤用として常用される純度のものが応用でき、２ｃｓ未満のものでは皮膚に対する安全性上好ましくなく、２０ｃｓを超えたものは安全性的には問題がないものの本発明に係る効果のべたつき抑制にあまり効果がない。また、メチルフェニルポリシロキサンとしては、皮膚外用剤用であれば特に制限はない。
【００１０】
本発明に用いられるシリコーン油の配合量としては、０．００１重量％以上０．１重量％未満である。
【００１１】
本発明は、ビタミンＡ配合化粧水のべたつき防止方法である。
【００１２】
本発明の皮膚外用剤には前述の必須成分以外に通常化粧品や医薬部外品に用いられる他の成分、例えば保湿剤、界面活性剤、防腐剤、水、アルコール、増粘剤、その他の油分、粉末、薬剤、キレート剤、香料、色剤、紫外線吸収剤などが必要に応じて配合できる。
【００１３】
【発明の効果】
本発明の皮膚外用剤は、ビタミンＡを配合して皮膚角化症等の予防、治療や、皮膚老化の防止、回復に優れているにもかかわらず、ビタミンＡ特有のべたつきがなく、かつ安定性、安全性も良好で優れた皮膚外用剤である。
【００１４】
【実施例】
次に本発明を実施例によりさらに詳細に説明するが、本発明はこれにより限定されるものではない。配合量は重量％である。
【００１５】
0003617845.tif 000002
−製法−
エタノールにビタミンＡ、ジメチルポリシロキサン、ＰＯＥオレイルエーテルおよびエチルパラベンを溶解する。べつに精製水と１，３−ブチレングリコールを溶解する。エタノール相を水相中に添加、可溶化して化粧水を得た。
【００１６】
比較例１
実施例１からジメチルポリシロキサンを除いたほかは、実施例１と同様にして比較例１を得た。
【００１７】
実施例１および比較例１の使用性（べたつき）を、女性美容専門パネルの実使用試験によって判定、評価した。
（判定基準）
Ａ；べたつかない。
Ｂ；わずかにべたつくが、使用上問題ない範囲である。
Ｃ；べたつく。
Ｄ；著しくべたつく。
結果を表１に示す。
【００１８】
【表１】
0003617845.tif 000003
この結果からシリコーン油がビタミンＡべたつきを防止していることが明らかである。
【００２２】
0003617845.tif 000004
−製法−
（Ａ）の水相部および（Ｂ）のアルコール部をそれぞれ均一溶解した後、水相部にアルコール部を加えて可溶化し、化粧水を得た。
(57)【特許請求の範囲】
【請求項１】
弾力性を有する合成樹脂で形成され上縁部にフランジ部(3a)を有する筒体(3) を上部に一体的に設けたバグ本体(1) を、セルプレート(2) の孔部(2a)に前記フランジ部(3a)をもって吊り下げ、前記筒体(3) の内径よりも大きな外径の膨出部(4c)を設けた鍔(4a)付きの管状リテーナ(4) を筒体(3) 内に嵌挿して、該膨出部(4c)により筒体(3) を外側へ拡開させセルプレート(2) の孔部(2a)に密着状態としてフィルターバグをセルプレートに取り付けたフィルターバグの取付機構であって、前記膨出部(4c)は、管状リテーナ(4) を筒体(3) 内に嵌挿した場合、セルプレート(2) の孔部(2a)の下面側において筒体(3)が外側へ拡開する位置に設けられていることを特徴とするフィルターバグの取付機構。
【発明の詳細な説明】
【０００１】
【発明の属する技術分野】
本発明は、フィルターバグをセルプレートに対して簡単かつ確実に装着することができるフィルターバグの取付機構に関するものである。
【０００２】
【従来の技術】
従来から、工場やオフィス等で発生する粉塵等の処理装置として、バグフィルター式の集塵装置が広く知られている。このような集塵装置では、フィルターバグはセルプレートの装着孔より垂下したうえ上端の鍔部を数本のボルトでセルプレートに締結して取り付けたり、クリップバンドのような締付金具でリテーナに締付け固定して取り付けたりするのが普通であった。
【０００３】
しかしながら、ボルトやクリップバンド等で固定するのは面倒な手作業であり、フィルターバグの着脱に長時間要するという問題点があった。
【０００４】
【発明が解決しようとする課題】
本発明は上記のような従来の問題点を解決して、フィルターバグをセルプレートに対して簡単かつ確実に装着することができ、フィルターバグの着脱作業を効率よく行うことができるフィルターバグの取付機構を提供することを目的として完成されたものである。
【０００５】
【課題を解決するための手段】
上記の課題を解決するためになされた本発明のフィルターバグの取付機構は、弾力性を有する合成樹脂で形成され上縁部にフランジ部を有する筒体を上部に一体的に設けたバグ本体を、セルプレートの孔部に前記フランジ部をもって吊り下げ、前記筒体の内径よりも大きな外径の膨出部を設けた鍔付きの管状リテーナを筒体内に嵌挿して、該膨出部により筒体を外側へ拡開させセルプレートの孔部に密着状態としてフィルターバグをセルプレートに取り付けたフィルターバグの取付機構であって、前記膨出部は、管状リテーナを筒体内に嵌挿した場合、セルプレートの孔部の下面側において筒体が外側へ拡開する位置に設けられていることを特徴とするものである。
【０００６】
【発明の実施の形態】
以下に、図面を参照しつつ本発明の好ましい実施の形態を示す。
図面は、バグフィルター式集塵機におけるフィルターバグのセルプレートへの取り付け状態を示すものであって、図中１はバグ本体、２はセルプレート、２ａはこのセルプレート２に形成されたフィルターバグ挿入用の孔である。
前記バグ本体１の上部には、ウレタン樹脂のような弾力性を有する合成樹脂で形成され上縁部にフランジ部３ａを有する筒体３が一体的に設けられている。なお、１ａは該筒体３に続くカートリッジフィルタ部である。そして、この筒体３はセルプレート２の孔部２ａに前記フランジ部３ａをもって吊り下げられて、装着されるものである。この筒体３の外径はセルプレート２の孔部２ａの内径よりも、例えば約２〜８ｍｍ程度小さくなるよう設計されており、前記装着作業が容易に行えるよう構成されている。
【０００７】
４は、セルプレート２の孔部２ａに装着した筒体３を密着・固定するための金属や硬質樹脂からなる管状リテーナである。このリテーナ４は、上部の鍔部４ａとそれに続く円筒部４ｂで構成され、該円筒部４ｂの中間部には前記筒体３の内径よりも大きな外径を有する膨出部４ｃが設けられている。そして、このリテーナ４を筒体３内に嵌挿することで、前記膨出部４ｃにより弾力性を有する筒体３を外側へ拡開させセルプレート２の孔部２ａに密着した状態とし、フィルターバグをセルプレートに取り付けるものである。
【０００８】
なお、前記膨出部４ｃは、管状リテーナ４を筒体３内に嵌挿した場合、セルプレート２の孔部２ａの下面側において筒体３が外側へ拡開する位置に設けられており、これにより筒体３がセルプレート２の孔部２ａに密着するとともに、拡開した筒体３の反力によって上方側へ浮き上がるのを防止するよう構成されている。また、前記管状リテーナ４の円筒部４ｂの下端部には内側に向け縮径した縮径部４ｄが形成されており、管状リテーナ４の筒体３内への嵌挿を容易にできるよう構成されている。
【０００９】
このように構成したものは、フィルターバグの装着に際しては筒体３をセルプレート２の孔部２ａに嵌挿し、フランジ部３ａをもってセルプレート２に吊り下げた状態とする。この場合、筒体３の外径はセルプレート２の孔部２ａの内径よりも若干小さくしてあるため、筒体３の嵌挿は何ら抵抗なく容易に行えることとなる。次いで、リテーナ４を筒体３内に嵌挿することにより、セルプレート２に対し筒体３を固定する。即ち、リテーナ４には筒体３の内径よりも大きな外径を有する膨出部４ｃが設けられているため、リテーナ４を筒体３内に嵌挿すると、該膨出部４ｃが弾力性を有する筒体３を外側へ拡開させることとなり、この結果、筒体３はセルプレート２の孔部２ａに密着した状態となって、フィルターバグはセルプレートに確実に取り付けられることとなる。また筒体３は、拡開した筒体３の反力により上方側へ浮き上がるのを防止されているので、処理中においてセルプレート２より外れることもない。
一方、フィルターバグを取り外す場合は、リテーナ４を外して筒体３をセルプレート２の孔部２ａより抜くだけでよく、フィルターバグの着脱作業は極めて簡単かつ確実に行えることとなる。
【００１０】
【発明の効果】
以上の説明からも明らかなように、本発明はフィルターバグをセルプレートに対して簡単かつ確実に装着することができ、フィルターバグの着脱作業を効率よく行うことができるものである。
よって本発明は従来の問題点を一掃したフィルターバグの取付機構として、産業の発展に寄与するところは極めて大である。
【図面の簡単な説明】
【図１】本発明の実施の形態を示す要部の断面図である。
【図２】本発明の実施の形態を示す分解斜視図である。
【符号の説明】
１  バグ本体
２  セルプレート
２ａ    孔部
３  筒体
３ａ    フランジ部
４  リテーナ
４ａ    鍔部
４ｃ  膨出部
【図１】
0003617801.tif 000002
【図２】
0003617801.tif 000003
(57)【特許請求の範囲】
【請求項１】
把持棒又は把持用コイルバネの先端に中心線を共有する芯材を設け、柔軟弾性材によるフードの中心部を上記芯材又は上記棒又は上記バネの先端部に上記中心線ｃを共有して止着して該フード内に上記芯材を包含し、かつ該フードの内周面と上記芯材との間に環状空間を介在させて該フードの周端部を芯材から離れた位置に開口させてなり、上記フードの中央部を厚く、周端部に向かって薄く形成し、かつ芯材が上記フードより硬くかつ外周面に上記中心線ｃを共有する環状突起部を形成した按摩用叩打器。
【発明の詳細な説明】
【０００１】
【発明の属する技術分野】
本発明は肩叩き等のような按摩用叩打器に関するものである。
【０００２】
【従来の技術】
従来の肩叩き等では図４（イ）（ロ）図に示すように把持部に棒又はコイルバネを設け、その先端にゴム球又は硬い合成樹脂製截頭円錐体等による叩打部を設けてなり、該叩打部によって直接患部を叩打するものであった。
【０００３】
そのため把持部を手で把持して首筋を叩打すると頭に響き、或は肩、足、腰等を叩打すると叩打力が集中するから手の力を微妙に調整し、一定範囲を万遍なく叩打するためには叩打数を増す必要があり、手に力を入れて思い切り強く叩打することはできなかった。
【０００４】
【発明が解決しようとする課題】
本発明は把持部を手で把持して患部を思い切って強く叩打して患部を快適に刺激し、かつ叩打数を軽減し得る按摩用叩打器を得ることを目的とする。
【０００５】
【課題を解決するための手段】
上記の目的を達成するため本発明は
把持棒又は把持用コイルバネの先端に中心線を共有する芯材を設け、柔軟弾性材によるフードの中心部を上記芯材又は上記棒又は上記バネの先端部に上記中心線ｃを共有して止着して該フード内に上記芯材を包含し、かつ該フードの内周面と上記芯材との間に環状空間を介在させて該フードの周端部を芯材から離れた位置に開口させてなり、上記フードの中央部を厚く、周端部に向かって薄く形成し、かつ芯材が上記フードより硬くかつ外周面に上記中心線ｃを共有する環状突起部を形成した按摩用叩打器。
によって構成される。
【０００６】
【発明の実施の形態】
把持部１”に竹や木の棒又はコイルバネ１’を固定して図１、図２に示す把持棒又は把持用コイルバネ１を形成する。
【０００７】
上記棒又はコイルバネ１の先端に中心線ｃを共有する芯材２を螺着又は嵌着等によって止着又は着脱自在に固定し、合成ゴム等による柔軟弾性材によるフード３の中心部を上記芯材２又は上記棒又はコイルバネ１の先端部に上記中心線ｃを共有して止着する。
【０００８】
フード３の中心部と芯材２との止着は接着剤５による全面接着（図１）や、棒やコイルバネ１’を符合螺孔６，６’に螺入する螺着等が用いられる。
【０００９】
フード３の厚さは中央部を厚くし、周端部に行くに従って薄く形成し、該フード３内に上記芯材２を包含し、該フード３の内周面３’と芯材２との間に環状空間ｓを介在させ、さらにフード３の周端部３”を芯材２から離れた位置に開口４させる。
【００１０】
芯材２は上記フード３よりも硬い材料例えば鉄、硬化合成樹脂、充実ゴム等で形成され、しかもフード３よりも重いものを用いることができ、外周面には上記中心線ｃを共有する１，２個の環状突起部２’を形成する。
【００１１】
従って把持部１”を手で把持してフード３及び芯材２で患部を叩打すると、患部に先ずフード３の外周面が衝接し、フード３はその弾力に抗して変形し、その内周面３’が芯材２の突起部２’に当接し、芯材２による患部への集中叩打力はフード３の弾力及び上記空間ｓの空気の緩衝により上記衝接外周面に沿って分散する。
【００１２】
その際環状空間ｓ内の空気は圧縮されることなく周端部３”の開口部４から外気に放出され、フード３内にこもることはないから芯材２の強い集中叩打力はフード３の変形外周面に沿ってソフトに拡散すると共にフード３を介して患部に当った芯材３の叩打力は強いが柔らかく骨に響くようなことは少ない。
【００１３】
又フード３の厚さを中央部を厚く、周端部３”に向って薄く形成したので、患部への衝接変形後の復元力が大であり、そのためフード３の外周面が患部を押圧しながら患部から離れるため患部への衝接による圧迫感が急減することなく緩減するため叩打後の快感を患部に与える。
【００１４】
尚、図中３ａで示すものは周端部３”の外側屈曲縁、Ｄはフードの内径、ｄは開口部４の内径であって図１ではＤ＝ｄであり、図２、図３ではＤ＞ｄである。
【００１５】
【発明の効果】
本発明は上述のように構成したので把持部を把持して患部をフード及び芯材で強く叩打しても芯材による強い集中叩打力はフードに沿って叩打点の四方に分散して強く響くおそれがなく強いがソフトな叩打力で患部を広く快適に刺激し得るばかりでなくフード及び芯材による叩打部は比較的軽く、軽妙に按摩を行い得る効果がある。
【図面の簡単な説明】
【図１】本発明の按摩用叩打器を示す縦断面図である。
【図２】開口部が棒側に向った状態の縦断面図である。
【図３】開口部が棒の延長側に向った状態の縦断面図である。
【図４】（イ）（ロ）図は従来の按摩用叩打器の縦断面図である。
【符号の説明】
１      把持棒又は把持用コイルバネ
２      芯材
２’    突起部
３      フード
３’    内周面
３”      周端部
ｓ      空間
４      開口部
【図１】
0003617955.tif 000002
【図２】
0003617955.tif 000003
【図３】
0003617955.tif 000004
【図４】
0003617955.tif 000005
(57)【特許請求の範囲】
【請求項１】
Ｕ型側溝と開口部を塞ぐ蓋体と該蓋体の上面に取付けられた古タイヤから再生して生成された略長四角形状の側溝蓋被覆板の取付構造であって、蓋体の下面両端部を側溝の段差に係合するように切欠して段差をつくることにより仕切り突堤上面に較べ蓋体上面の高さを低くすることで幅が蓋体と同じで側溝蓋被覆板を嵌合する空間が形成され、該空間に側溝蓋被覆板を嵌合し、かつ接着剤や両面テープを用いて蓋体上面に固着することを特徴とするプレート状側溝蓋被覆板の取付構造。
【請求項２】
蓋体の厚さを上記側溝蓋被覆板の厚さ分だけ薄くすることで、仕切り突堤上面に較べ蓋体上面の高さが低くなり、該側溝蓋被覆板を蓋体上面に取付ける空間が形成され、該空間に側溝蓋被覆板を嵌合かつ接着剤や両面テープを用いて蓋体上面に固着することを特徴とする請求項１に記載のプレート状側溝蓋被覆板の取付構造。
【請求項３】
請求項１又は２記載の側溝蓋取付構造において、蓋体とプレート体との間に、光熱反射シート上に複数本の金属棒からなる格子状の枠体が戴架され、該枠体にコードヒータが取付けられて一体化された融雪ヒータを敷設したことを特徴とする側溝蓋被覆板の取付構造。
【発明の詳細な説明】
【０００１】
【発明が属する技術分野】
道路や歩道脇に埋設されている側溝の上面に、古タイヤから生成したゴム製側溝蓋被覆板を取付ける取付構造に関する。
【０００２】
【従来の技術】
従来、道路や歩道の側溝を閉じる蓋にはコンクリート製の蓋体が用いられているが、降雨時や冬時期の凍結により歩行者の足元が滑って転倒して怪我をするなど非常に危険であった。また最近では、道路や歩道の舗装が色彩豊かにデザイン化される傾向にあり、周囲との景観のマッチングという点でもコンクリート製の蓋ではそぐわない場合があるという問題があった。
【０００３】
そこで、側溝の開口部を閉じる蓋体として、ＦＲＰ廃材の破砕片やゴムチップからなる板体や熱可塑性樹脂製からなる板体などが使用されるようになったが、上記板体を側溝の蓋として使用すると、コストもかかり、また、それまで使用されていたコンクリート製の蓋体が廃棄物となってしまい無駄になってしまう。
【０００４】
【発明が解決しようとする課題】
解決しようとする問題点は、側溝の開口部を閉じるのに用いられているコンクリート製の蓋体の上面に、低コストでかつ作業が容易である古タイヤを再利用して生成されたゴム製の側溝蓋用被覆板の取付構造を提供しようとするものである。このとき、隣接する道路や歩道と段差ができないような構造とする。
【０００５】
【課題を解決するための手段】
上記課題を解消するために、本発明は、請求項１及び２においては蓋体を一部切欠することで路面との段差をなくすようにする。
【０００６】
【発明の実施の形態】
以下、本発明の実施の一形態を図面を参照して説明する。
【０００７】
【実施例】
図１及び図４は、それぞれ請求項１記載の実施例を示した斜視図及び断面図であり、側溝の溝枠１は道路や歩道に埋設されるＵ型側溝であり、互いに接続された複数のプレキャストコンクリート製、または、現場打ちのコンクリート製で構成されている。
【０００８】
溝枠１の開口部上部には仕切り突堤４と蓋受面５からなる段差が形成されており、蓋受面５上に蓋体を戴置することで側溝開口部が閉じられる。
【０００９】
蓋体２ａは、蓋体を仕切り突堤４及び蓋受面５からなる段差に係合するように下面両端部から、横方向に蓋受面の幅分、上方向に側溝蓋被覆板である後記ゴム製のプレート状ラバーテックの厚さ分だけ切欠して成形されている。
【００１０】
上記のように蓋体２ａの下面両端部が切欠されているため、溝枠１を蓋体２ａで閉じたときに、仕切り突堤４上面の高さに較べて蓋体２ａ上面の高さは、プレート状ラバーテック３ａの厚さ分だけ低いために、蓋体２ａ上面にプレート状ラバーテック３ａを戴置すると仕切り突堤４上面とプレート状ラバーテック３ａ上面の高さが一致している。
【００１１】
このとき、蓋体２ａ上面又はプレート状ラバーテック３ａ下面には接着材が塗布されるか又は両面テープが貼られて互いに接着固定されている。
【００１２】
図２及び図５は、それぞれ請求項２記載の実施例を示した斜視図及び断面図であり、上記構成の側溝の溝枠１の蓋受面上に、蓋体をゴム製のプレート状ラバーテック３ｂの厚さ分薄くした蓋体３ａを戴置することで側溝開口部が閉じられる。
【００１３】
上記蓋体２ｂはプレート状ラバーテック３ｂの厚さ分薄く成形されているため、該蓋体３ａ上面にプレート状ラバーテック３ｂを取付けると、プレート状ラバーテック３ｂ上面と仕切り突堤４上面の高さが同じになる。
【００１４】
使用される廃タイヤから生成されたラバーテックは、形状は異なるが同性質のものであり、透水性、弾力性、吸音性に優れ、また、施行場所によって色彩を変えることができるので景観を壊すこともない。
【００１５】
また、図６に示すように、側溝の蓋体とラバーテックとの間に特願２００１−１０９５１９記載の融雪ヒータ（メッシュヒータ）を設置することで、プレート体上に積雪した雪を融解すことが可能となり、除雪をするがなく、自動的に融雪することが可能となる。
【００１６】
上記融雪ヒータは、光熱反射シート８上に複数本の金属棒７からなる格子状の枠体を接着固定して、該枠体にコードヒータ９を取付け一体化した構成をしている。
【００１７】
さらに、夜行塗料を混入した上記側溝蓋被覆板・ラバーテックを用いれば、夜間の安全性においても非常に有効である。
【００１８】
【発明の効果】
以上説明したように、本発明の側溝蓋用被覆板の取付構造は、既存の蓋体を一部切欠し、該蓋体上にプレート状ラバーテックを取付けることで、路面との段差がない面一な路面を容易に形成することができ、尚且つ低コストで取付けることが可能である。
【図面の簡単な説明】
【図１】請求項１の実施例を示す図である。
【図２】請求項２の実施例を示す図である。
【図３】図１のＰ−Ｐ′線断面図である。
【図４】図２のＱ−Ｑ′線断面図である。
【図５】従来埋設されている側溝の斜視図である。
【図６】請求項３の実施例を示す図である。
【符号の説明】
１    溝枠体
２ａ  蓋体Ａ
２ｂ  蓋体Ｂ
３ａ  プレート体Ａ
３ｂ  プレート体Ｂ
４    仕切り突堤
５    蓋受面
６    コンクリート製蓋体
７    金属棒
８    光熱反射シート
９    コードヒータ
【図１】
0003617961.tif 000002
【図２】
0003617961.tif 000003
【図３】
0003617961.tif 000004
【図４】
0003617961.tif 000005
【図５】
0003617961.tif 000006
【図６】
0003617961.tif 000007
(57)【特許請求の範囲】
【請求項１】
パレット状の台、４枚の側壁を有するプラスチック製内側容器、下側および上側の底、上側の底に形成された閉鎖可能な注入栓および側壁の下側区域に形成された、排出装置付き流出栓、垂直および水平の格子棒からなる、または板金製のケースとして形成された外装、および外装に固定された、取外し可能な金属製またはプラスチック製の保護蓋を有し、前記保護蓋が、ネジキャップで閉鎖できる内側容器の注入栓への中央到達開口部を備えている、液体用の輸送および貯蔵容器であって、
内側容器（２）の上側底（４）に形成された固定穴（２６、２７）、輸送容器（１）の外装（８）に保護蓋（１１）を固定する際に固定穴（２６，２７）を差し込むための、保護蓋（１１）中に配置されたスリット（２９，３０）、ならびに内側容器（２）の、保護蓋（１１）を通して上に突き出た固定穴（２６、２７）に差し込むための安全素子を有してなるものにおいて、
該安全素子が、内側容器（２）の上側底（４）を保護蓋（１１）に固定するための、内側容器（２）の固定穴（２６、２７）に差し込むことができる、プラスチック製または金属製のピン（３１）であることを特徴とする容器。
【請求項２】
固定穴（２６、２７）が、プラスチック製内側容器（２）の上側底（４）の中央区域（１９）および隆起した外側区域（２０、２１）の間の傾斜部（２４、２５）に形成されていることを特徴とする請求項１の容器。
【発明の詳細な説明】
【０００１】
【発明の属する技術分野】
本発明は、パレット状の台、４枚の側壁を有するプラスチック製内側容器、下側および上側の底、上側の底に形成された閉鎖可能な注入栓および側壁の下側区域に形成された、排出装置付き流出栓、垂直および水平の格子棒からなる、または板金製のケースとして形成された外装、および外装に固定された、取外し可能な金属製またはプラスチック製の保護蓋を有し、該保護蓋が、ネジキャップで閉鎖できる内側容器の注入栓への中央到達開口部を備えている、液体用の輸送および貯蔵容器（ＤＥ  ３８１９９１１  Ｃ２）に関する。
【０００２】
【発明が解決しようとする課題】
この公知の輸送および貯蔵容器には、高温の液体を注入し、続いて液体が冷えると、内側容器中が減圧になるためにプラスチック製内側容器の上側底が非常に大きく沈み込むので、内側容器の上側底に形成された注入栓の保護蓋を市販のレンチでは最早開けられなくなる、という危険性がある。内側容器の上側底が沈み込む危険性は、注入栓に撹拌機を取り付ける時にも生じる。
【０００３】
本発明の課題は、注入栓を備えた上側底が外部または内部の力の影響により落ち込むのを避けるために、プラスチック製内側容器の上側底の安定性を強化することにある。
【０００４】
【課題を解決するための手段】
この課題は、請求項１の特徴を有する液体用の輸送および貯蔵容器により解決される。
【０００５】
従属請求項は、本発明の有利で効果的な実施態様を規定するものである。
【０００６】
プラスチック製内側容器の上側底を輸送および貯蔵容器の保護蓋に固定することにより、外部および内部の力の影響下で、注入栓を備えた上側底の沈み込みを阻止することができる。内側容器の上側底を輸送および貯蔵容器の保護蓋に引っ掛けることにより、上側底の壁の厚さを小さくすることができ、それによって容器の輸送重量を下げると共に、材料コストも下げることができる。
【０００７】
【発明の実施の形態】
以下に本発明を添付の図面を参照しながら説明する。
【０００８】
図１に示す使い捨て容器および通い容器として使用できる液体用の輸送および貯蔵容器１は、主要構成部品として、交換可能な直方体形状の、４枚の側壁２ａ−２ｄを備えたポリエチレン製内側容器２、下側の流出底として形成された底３およびネジ蓋６で閉鎖できる注入栓５を有する上側底４、ならびに前面壁２ａの下側区域に形成された、抜取りコックを備えた流出栓７、交差する垂直および水平の金属製格子棒９、１０からなる外装８、外装８に固定した、取り外し可能な、内側容器２のための、内側容器２の注入栓５への中央到達開口部１２を備えた金属製保護蓋１１、およびプラスチック製内側容器２を丁度受け入れる形状を有する板金製の台座１４を備えたパレット状の台１３を備えている。
【０００９】
台座１４は、隅部および中央の脚１５、１６および脚部フレーム１７または支持材（Ｋｕｆｅ）の上に特定の自由度を持って直立しているので、輸送および貯蔵容器１を輸送するために、台座１４を４側面から輸送装置、例えばフォークリフト、のグリップアームで下から支えることができる。脚１５、１６および脚部フレーム１７ないし支持材は金属または導電性プラスチック、例えば導電性カーボンブラックを含むポリエチレン、から製造される。輸送および貯蔵容器１のパレット状の台１３は、ヨーロッパ規格の長さおよび幅寸法を有する。
【００１０】
輸送容器１のプラスチック製内側容器２と外装８の間に、４枚の側壁１８ａ−１８ｄを備えた支持挿入物１８が配置されている。
【００１１】
輸送および貯蔵容器１に液体を注入する際に、および容器１から液体を抜き取る際に液体とプラスチック製内側容器２の表面との摩擦により発生することがある電荷は、支持挿入物１８、外装８、台座１４、隅部および中央の脚１５、１６および脚フレーム１７を経由して大地に誘導される。
【００１２】
内側容器２の上側底４は、注入栓５を備えた中央区域１９および２つの隆起した外側区域２０、２１を有しており、これらの外側区域は、容器２を９５％まで液体で満たす場合、中空空間２２、２３を形成し、外の温度が高い場合、それらの空間の中に液体から蒸発するガスが溜まることができる。
【００１３】
内側容器２の上側底４の中央区域１９と２つの隆起した外側区域２０、２１の間の傾斜部２４、２５に、２個の固定穴２６、２７が形成されている。
【００１４】
輸送容器１の保護蓋１１の到達開口部１２の窪んだ区域２８には、外装８の垂直格子棒９の上側末端に保護蓋１１を固定する際に固定穴２６、２７を通すための対応するスリット２９、３０が配置されている。
【００１５】
内側容器２の上側底４を輸送容器１の保護蓋１１に固定するために、内側容器２の、蓋を通して上に突き出た固定穴２６、２７を通して、プラスチック製または金属製のピン３１を差し込む。
【図面の簡単な説明】
【図１】輸送および貯蔵容器の全体図
【図２】プラスチック製内側容器の上側底を保護蓋に固定した、容器の組み立てた保護蓋の切り取った拡大上面図
【図３】図２の線ＩＩＩ−ＩＩＩ  に沿って見た容器の保護蓋の部分断面図
【符号の説明】
１    輸送容器
２    内側容器
４    上側底
８    外装
１１    保護蓋
１８    支持挿入物
１８ａ−１８ｄ    側壁
１９    中央区域
２０、２１    隆起した外側区域
２４、２５    傾斜部
２６、２７    固定穴
２９、３０    スリット
３１    ピン
【図１】
0003617769.tif 000002
【図２】
0003617769.tif 000003
【図３】
0003617769.tif 000004